(57)【要約】【課題】特定エリア内におけるトラヒック情報をユーザーに通知することができる携帯通信端末装置及び移動体通信システムを提供すること。【解決手段】本発明の携帯通信端末装置１００は、無線基地局装置からの共通制御チャネルを受信する受信部１０２と、受信部１０２により受信した前記共通制御チャネルからトラヒック情報の解析に必要な情報を生成するデコード部１０３と、デコード部１０３により生成した前記情報を処理してトラヒック情報を生成するトラヒック情報処理部１０４と、トラヒック情報処理部１０４からの前記トラヒック情報を表示する表示部１０５と、を具備する。【選択図】　　　図１
2004007097.tif 000002
【特許請求の範囲】
【請求項１】
無線基地局装置からの共通制御チャネルを受信する受信部と、前記受信部により受信した前記共通制御チャネルからトラヒック情報の解析に必要な情報を生成するデコード部と、前記デコード部により生成した前記情報を処理してトラヒック情報を生成するトラヒック情報処理部と、前記トラヒック情報処理部からの前記トラヒック情報を表示する表示部と、を具備することを特徴とする携帯通信端末装置。
【請求項２】
前記表示部は、前記トラヒック情報を人型マーク及び複数のトラヒックバーで表示することを特徴とする請求項１記載の携帯通信端末装置。
【請求項３】
複数の無線基地局装置から送出される無線信号の受信感度を判定する受信品質判定部と、前記受信品質判定部からの無線基地局装置毎の受信感度に基づいてトラヒック情報を判断して通信可能な無線基地局数分の最大リソース数を増加させてトラヒック情報の算出を行うトラヒック情報処理部と、前記トラヒック情報処理部からの情報を受けて最大リソースが増加していることを知らせる表示部と、を具備することを特徴とする請求項１又は請求項２記載の携帯通信端末装置。
【請求項４】
携帯通信端末装置と、前記携帯通信端末装置との間で情報を送受する無線基地局装置と、を具備し、前記携帯通信端末装置は、無線基地局装置からの共通制御チャネルを受信する受信部と、前記受信部により受信した共通制御チャネルからトラヒック情報の解析に必要な情報を生成するデコード部と、前記デコード部により生成した情報を処理してトラヒック情報を生成するトラヒック情報処理部と、前記トラヒック情報処理部からのトラヒック情報を表示する表示部と、を具備し、前記無線基地局装置は、前記携帯通信端末装置からの情報を受けて受信信号を生成する受信部と、特定のエリア内で携帯通信端末装置がトラヒック情報を算出するために必要な無線基地局装置の最大リソース数及び通信中ユーザー数の情報を保持し前記受信部からの受信信号を受けた時に前記受信信号に対応する情報を送出した携帯通信端末装置に関するトラヒック情報を算出するために必要な無線基地局装置の最大リソース数及び通信中ユーザー数の情報を生成するメモリ部と、前記メモリ部からの前記情報をエンコードするエンコード部と、前記エンコード部によりエンコードされた情報を共通制御チャネルにマッピングする制御部と、前記制御部からの前記共通制御チャネルを携帯通信端末装置に無線送信を行う送信部と、を具備することを特徴とする移動体通信システム。
【請求項５】
前記無線基地局装置は、前記メモリ部と前記エンコード部との間に接続されているトラヒック情報処理部を具備し、前記トラヒック情報処理部は、前記メモリ部から前記携帯通信端末装置がトラヒック情報を算出するために必要な無線基地局装置の最大リソース数及び通信中ユーザー数の情報を受けて、特定エリア内のトラヒック情報を算出して前記エンコード部に与えることを特徴とする請求項４記載の移動体通信システム。
【発明の詳細な説明】
【０００１】
【発明の属する技術分野】
本発明は、移動体通信を行う携帯通信端末装置及び移動体通信システムに関する。
【０００２】
【従来の技術】
従来、移動体通信システムの通信品質表示装置としては、特開平０９−１３５２０３号公報に記載されているものがある。図８は、特開平０９−１３５２０３号公報に記載されている従来の移動体通信システムにおける通信品質表示装置の構成を示すブロック図である。
【０００３】
図８に示すように、従来の移動体通信システムの通信品質表示装置８００は、アンテナ８０１、送受分波器８０２、送信機８０３、受信機８０４、受信電界強度測定器８０５、誤り率測定器８０６、通信品質表示器８０７及び制御器８０８を具備している。
【０００４】
アンテナ８０１は、送信されてくる電波である情報を受信し受信信号を生成して送受分波器８０２を介して受信機８０４に与える。送信機８０３は、送信信号を送受分波器８０２を介してアンテナ８０１に送る。アンテナ８０１は、送信機８０３からの送信信号を電波として送信する。
【０００５】
受信機８０４は、移動無線通信システムの無線基地局装置から移動局に間欠的に送信される自局宛の信号をアンテナ８０１及び送受分波器８０２を介して受信する。受信電界強度測定器８０５は、自局宛の信号が受信される周期の整数倍の時間を測定時間とし、この測定時間ごとに信号の受信電界強度を測定する。誤り率測定器８０６は、測定時間における前記信号の誤り率を測定する。通信品質表示器８０７は、測定時間ごとに測定された信号の受信電界強度及び誤り率を受けて、これらの値に応じて移動無線通信回線の通信品質を表示する。制御器８０８は、受信機の受信タイミング及び測定時間を設定し、通信品質表示器８０７に測定時間ごとに通信品質を表示させる。
【０００６】
【発明が解決しようとする課題】
しかしながら、従来の移動体通信システムの通信品質表示装置においては、通信品質をユーザーに通知することができるが、トラヒック（混み具合）情報を通知する機能を有していないという問題がある。
【０００７】
本発明は、かかる点に鑑みてなされたものであり、特定エリア内におけるトラヒック情報をユーザーに通知することができる携帯通信端末装置及び移動体通信システムを提供することを目的とする。
【０００８】
【課題を解決するための手段】
本発明の携帯通信端末装置は、無線基地局装置からの共通制御チャネルを受信する受信部と、前記受信部により受信した前記共通制御チャネルからトラヒック情報の解析に必要な情報を生成するデコード部と、前記デコード部により生成した前記情報を処理してトラヒック情報を生成するトラヒック情報処理部と、前記トラヒック情報処理部からの前記トラヒック情報を表示する表示部と、を具備する構成を採る。
【０００９】
この構成によれば、トラヒック情報を生成して表示部で表示するため、特定エリア内におけるトラヒック情報をユーザーに通知することができる。これにより、ユーザーが発信時のタイミングを図る判断基準にトラヒック情報を用い、データをダウンロードする時にトラヒック情報を認識して混雑していない時間帯を選んでダウンロードを行うことによりダウンロード時間の短縮化が図れ、また、トラヒック量が少ない時に通話することにより通話時でも聞き返しが無くなるので接続料金を節約することができる。
【００１０】
本発明の携帯通信端末装置は、前記構成において、前記表示部が、前記トラヒック情報を人型マーク及び複数のトラヒックバーで表示する構成を採る。
【００１１】
この構成によれば、前記効果に加えて、トラヒック情報を認識しやすく表示することができる。
【００１２】
本発明の携帯通信端末装置は、前記構成において、複数の無線基地局装置から送出される無線信号の受信感度を判定する受信品質判定部と、前記受信品質判定部からの無線基地局装置毎の受信感度に基づいてトラヒック情報を判断して通信可能な無線基地局数分の最大リソース数を増加させてトラヒック情報の算出を行うトラヒック情報処理部と、前記トラヒック情報処理部からの情報を受けて最大リソースが増加していることを知らせる表示部と、を具備する構成を採る。
【００１３】
この構成によれば、前記効果に加えて、携帯通信端末装置が電波環境又はエリア内の位置などにより複数の無線基地局装置から受信可能であった場合に、トラヒック情報を決める最大リソース数を通信可能な無線基地局装置分増やすことができ、かつ、在圏エリアが拡大中であることを表示部により表示することができる。
【００１４】
本発明の移動体通信システムは、携帯通信端末装置と、前記携帯通信端末装置との間で情報を送受する無線基地局装置と、を具備し、前記携帯通信端末装置が、無線基地局装置からの共通制御チャネルを受信する受信部と、前記受信部により受信した共通制御チャネルからトラヒック情報の解析に必要な情報を生成するデコード部と、前記デコード部により生成した情報を処理してトラヒック情報を生成するトラヒック情報処理部と、前記トラヒック情報処理部からのトラヒック情報を表示する表示部と、を具備し、前記無線基地局装置が、前記携帯通信端末装置からの情報を受けて受信信号を生成する受信部と、特定のエリア内で携帯通信端末装置がトラヒック情報を算出するために必要な無線基地局装置の最大リソース数及び通信中ユーザー数の情報を保持し前記受信部からの受信信号を受けた時に前記受信信号に対応する情報を送出した携帯通信端末装置に関するトラヒック情報を算出するために必要な無線基地局装置の最大リソース数及び通信中ユーザー数の情報を生成するメモリ部と、前記メモリ部からの前記情報をエンコードするエンコード部と、前記エンコード部によりエンコードされた情報を共通制御チャネルにマッピングする制御部と、前記制御部からの前記共通制御チャネルを携帯通信端末装置に無線送信を行う送信部と、を具備する構成を採る。
【００１５】
この構成によれば、前記効果に加えて、無線基地局装が現在のエリア内における当該無線基地局装置の最大リソース数及び通話中のユーザー数というトラヒック情報を携帯通信端末装置に向けて送信することができる。
【００１６】
本発明の移動体通信システムは、前記構成において、前記無線基地局装置が、前記メモリ部とエンコード部との間に接続されているトラヒック情報処理部を具備し、前記トラヒック情報処理部が、前記メモリ部から前記携帯通信端末装置がトラヒック情報を算出するために必要な無線基地局装置の最大リソース数及び通信中ユーザー数の情報を受けて、特定エリア内のトラヒック情報を算出して前記エンコード部に与える構成を採る。
【００１７】
この構成によれば、前記効果に加えて、現在のエリア内におけるトラヒック情報を無線基地局装置が算出することにより、携帯通信端末装置は受信したトラヒック情報を表示部で表示するだけになるから、当該携帯通信端末装置の処理を減らすことができる。
【００１８】
【発明の実施の形態】
本発明の骨子は、無線基地局装置からの共通制御チャネルを受信し、受信した前記共通制御チャネルからトラヒック情報の解析に必要な情報を生成し、当該情報を処理してトラヒック情報を生成して表示することである。
【００１９】
以下、本発明の実施の形態について、図面を参照して詳細に説明する。
【００２０】
（実施の形態１）
図１は、本発明の実施の形態１に係る携帯通信端末装置の構成を示すブロック図である。
【００２１】
図１に示すように、本発明の実施の形態１に係る携帯通信端末装置１００は、アンテナ１０１、受信部１０２、デコード部１０３、トラヒック情報処理部１０４及び表示部１０５を具備している。
【００２２】
受信部１０２の入力端子は、アンテナ１０１の出力端子に接続されている。デコード部１０３の入力端子は、受信部１０２の出力端子に接続されている。トラヒック情報処理部１０４の入力端子は、デコード部１０３の出力端子に接続されている。表示部１０５の入力端子は、トラヒック情報処理部１０４の出力端子に接続されている。
【００２３】
アンテナ１０１は、無線基地局装置からの共通制御チャネルを含む電波である情報を受けて共通制御チャネルを含む受信信号を生成して受信部１０２に与える。受信部１０２は、共通制御チャネルを含む受信信号を受けて所定の処理をしてデコード部１０３に送る。デコード部１０３は、受信部１０２により受信した受信信号の共通制御チャネルからトラヒック情報の解析に必要な情報を生成してトラヒック情報処理部１０４に与える。トラヒック情報処理部１０４は、デコード部１０３により生成した情報を処理してトラヒック情報を生成して表示部１０５に与える。トラヒック情報処理部１０４は、デコード部１０３により生成した情報に基づいてユーザーが在圏している特定エリア内において無線基地局装置の最大リソース数と通話中のユーザー数を比較してトラヒック情報を生成する。表示部１０５は、トラヒック情報処理部１０４からのトラヒック情報を表示する。
【００２４】
図２に示すように、表示部１０５は、例えば、液晶ディスプレイで構成されている。表示部１０５は、トラヒック情報を人型マーク２０１及び複数のトラヒックバー２０２で表示する。この場合に、トラヒックバー２０２の点灯の数が多い時にはトラヒック量が多いことを示している。
【００２５】
このように、本実施の形態１によれば、トラヒック情報を生成して表示部１０５で表示するため、特定エリア内におけるトラヒック情報をユーザーに通知することができる。これにより、ユーザーが発信時のタイミングを図る判断基準にトラヒック情報を用い、データをダウンロードする時にトラヒック情報を認識して混雑していない時間帯を選んでダウンロードを行うことによりダウンロード時間の短縮化が図れ、また、トラヒック量が少ない時に通話することにより通話時でも聞き返しが無くなるので接続料金を節約することができる。
【００２６】
（実施の形態２）
次に、本発明の実施の形態２について、図面を参照して詳細に説明する。図３は、本発明の実施の形態２に係る携帯通信端末装置の構成を示すブロック図である。本発明の実施の形態２においては、本発明の実施の形態１と同じ構成要素には同じ参照符号が付されている。
【００２７】
図３に示すように、本発明の実施の形態２に係る携帯通信端末装置３００は、アンテナ１０１、受信部１０２、デコード部１０３、トラヒック情報処理部１０４、表示部１０５及び受信品質判定部３０１を具備している。受信品質判定部３０１は、受信部１０２とトラヒック情報処理部１０４との間に接続されている。すなわち、本発明の実施の形態２に係る携帯通信端末装置３００は、本発明の実施の形態１に係る携帯通信端末装置１００において、受信品質判定部３０１を追加してなる。
【００２８】
次に、本発明の実施の形態１と異なる本発明の実施の形態２の動作について、説明する。
【００２９】
トラヒック情報処理部１０４は、無線基地局装置から送信される共通制御チャネルに含まれるトラヒック情報を処理して、表示部１０５に表示させる。この場合に、図５に示すように、携帯通信端末装置３００が通信可能である無線基地局装置が１つである場合をパターン▲１▼（実施の形態１）とし、例えば、図５に示すように携帯通信端末装置３００が複数の無線基地局装置５０１、５０２と通信可能である場合をパターン▲２▼とし、以下にパターン▲２▼について説明する。
【００３０】
携帯通信端末装置３００を所持するユーザーが図５の（ａ）エリアに在圏している場合に、受信品質判定部３０１は、複数の無線基地局装置５０１、５０２から通信が可能であると判断し判断結果をトラック情報処理部１０４に与える。トラック情報処理部１０４は、全在圏ユーザー数及び通話中ユーザー数を無線基地局装置５０１と無線基地局装置５０２での合計数としトラヒック情報を処理する。表示部１０５は、携帯通信端末装置３００の在圏エリアが拡大中であることを示す表示をする。
【００３１】
図４に示すように、表示部１０５は、例えば、トラヒックバー２０２の横に在圏エリアが拡大中であることを示すトラヒック拡大ドット４０１を表示（点灯）する。これにより、表示部１０５は、トラヒックバー２０２の横に在圏エリアが拡大中であることをユーザーに知らせる。
【００３２】
このように、本発明の実施の形態２によれば、本発明の実施の形態１の効果に加えて、携帯通信端末装置が電波環境又はエリア内の位置などのにより複数の無線基地局装置から受信可能であった場合に、トラヒック情報を決める最大リソース数を通信可能な無線基地局装置分増やすことができ、かつ、在圏エリアが拡大中であることを表示部１０５により表示することができる。
【００３３】
（実施の形態３）
次に、本発明の実施の形態３について、図面を参照して詳細に説明する。図６は、本発明の実施の形態３に係る移動体通信システムの構成を示すブロック図である。本発明の実施の形態３においては、本発明の実施の形態１と同じ構成要素には同じ参照符号が付されている。
【００３４】
図６に示すように、本発明の実施の形態３に係る移動体通信システム６００は、携帯通信端末装置１００及び無線基地局装置６０１を具備している。無線基地局装置６０１は、携帯通信端末装置１００との間で情報を送受する。
【００３５】
携帯通信端末装置１００は、アンテナ１０１、受信部１０２、デコード部１０３、トラヒック情報処理部１０４及び表示部１０５（図１参照）を具備している。
【００３６】
無線基地局装置６０１は、受信アンテナ６０２、受信部６０３、メモリ部６０４、エンコード部６０５、制御部６０６、送信部６０７及び送信アンテナ６０８を具備している。
【００３７】
受信部６０３の入力端子は、受信アンテナ６０２の出力端子に接続されている。メモリ部６０４の入力端子は、受信部６０３の出力端子に接続されている。エンコード部６０５の入力端子は、メモリ部６０４の出力端子に接続されている。制御部６０６の入力端子は、エンコード部６０５の出力端子に接続されている。送信部６０７の入力端子は、制御部６０６の出力端子に接続されている。送信アンテナ６０８の入力端子は、送信部６０７の出力端子に接続されている。
【００３８】
受信アンテナ６０２は、電波である情報を受けて受信信号を生成して受信部６０３に与える。受信部６０３は、受信アンテナ６０２からの受信信号を受けてこの受信信号に所定の処理をしてメモリ部６０４に与える。メモリ部６０４は、特定エリア内で携帯通信端末装置１００がトラヒック情報を算出するために必要な無線基地局装置の最大リソース数及び通信中ユーザー数の情報を保持している。メモリ部６０４は、受信部６０３からの受信信号を受けた時にこの受信信号に対応する情報を送出した携帯通信端末装置１００に関するトラヒック情報を算出するために必要な無線基地局装置の最大リソース数及び通信中ユーザー数の情報をエンコード部６０５に与える。
【００３９】
エンコード部６０５は、メモリ部６０４からの情報をエンコードしエンコードした情報を制御部６０６に与える。制御部６０６は、エンコード部６０５によりエンコードされた情報を共通制御チャネルにマッピングして送信部６０７に与える。送信部６０７は、制御部６０６からの共通制御チャネルを携帯通信端末装置１００に対して無線送信を行う。送信部６０７から送信される共通制御チャネルは、携帯通信端末装置１００がトラヒック量を算出するにに必要な情報が含まれている。
【００４０】
なお、本実施の形態３に係る移動体通信システム６００においては、携帯通信端末装置１００の代わりに、携帯通信端末装置３００を用いても良い。
【００４１】
このように、本発明の実施の形態３によれば、本発明の実施の形態１又は２の効果に加えて、無線基地局装が現在のエリア内における当該無線基地局装置の最大リソース数及び通話中のユーザー数というトラヒック情報を携帯通信端末装置に向けて送信することができる。
【００４２】
（実施の形態４）
次に、本発明の実施の形態４について、図面を参照して詳細に説明する。図７は、本発明の実施の形態４に係る移動体通信システムの構成を示すブロック図である。本発明の実施の形態４においては、本発明の実施の形態１、３と同じ構成要素には同じ参照符号が付されている。
【００４３】
図７に示すように、本発明の実施の形態４に係る移動体通信システム７００は、携帯通信端末装置１００及び無線基地局装置７０１を具備している。無線基地局装置７０１は、携帯通信端末装置１００との間で情報を送受する。
【００４４】
携帯通信端末装置１００は、アンテナ１０１、受信部１０２、デコード部１０３、トラヒック情報処理部１０４及び表示部１０５（図１参照）を具備している。
【００４５】
無線基地局装置７０１は、受信アンテナ６０２、受信部６０３、メモリ部６０４、エンコード部６０５、制御部６０６、送信部６０７、送信アンテナ６０８及びトラヒック情報処理部７０２を具備している。トラヒック情報処理部７０２は、メモリ部６０４とエンコード部６０５との間に接続されている。すなわち、本発明の実施の形態４に係る無線基地局装置７０１は、本発明の実施の形態３に係る無線基地局装置６０１において、トラヒック情報処理部７０２を追加してなる。
【００４６】
次に、本発明の実施の形態３と異なる本発明の実施の形態４の動作について、説明する。
【００４７】
トラヒック情報処理部７０２は、メモリ部６０４から携帯通信端末装置１００がトラヒック情報を算出するために必要な無線基地局装置の最大リソース数及び通信中ユーザー数の情報を受けて、特定エリア内のトラヒック情報を算出してエンコード部６０５に与える。
【００４８】
なお、本実施の形態４に係る移動体通信システム７００においては、携帯通信端末装置１００の代わりに、携帯通信端末装置３００を用いても良い。
【００４９】
このように、本実施の形態４によれば、本実施の形態３の効果に加えて、現在のエリア（特定エリア）内におけるトラヒック情報を無線基地局装置７０１が算出することにより、携帯通信端末装置１００は受信したトラヒック情報を表示部１０５で表示するだけになるから、携帯通信端末装置１００の処理を減らすことができる。
【００５０】
【発明の効果】
以上説明したように、本発明によれば、トラヒック情報を生成して表示部で表示するため、特定エリア内におけるトラヒック情報をユーザーに通知することができる。
【図面の簡単な説明】
【図１】本発明の実施の形態１に係る携帯通信端末装置の構成を示すブロック図
【図２】本発明の実施の形態１に係る携帯通信端末装置の表示部の構成を示す図
【図３】本発明の実施の形態２に係る携帯通信端末装置の構成を示すブロック図
【図４】本発明の実施の形態２に係る携帯通信端末装置の表示部の構成を示す図
【図５】本発明の実施の形態２に係る携帯通信端末装置の動作を説明するための図
【図６】本発明の実施の形態３に係る移動体通信システムの構成を示すブロック図
【図７】本発明の実施の形態４に係る移動体通信システムの構成を示すブロック図
【図８】従来の移動体通信システムにおける通信品質表示装置の構成を示すブロック図
【符号の説明】
１００、３００　携帯通信端末装置
１０１　アンテナ
１０２　受信部
１０３　デコード部
１０４　トラヒック情報処理部
１０５　表示部
２０１　人型マーク
２０２　トラヒックバー
３０１　受信品質判定部
４０１　トラヒック拡大ドット
５０１、５０２、６０１、７０１　無線基地局装置
６００、７００　移動体通信システム
６０２　受信アンテナ
６０３　受信部
６０４　メモリ部
６０５　エンコード部
６０６　制御部
６０７　送信部
６０８　送信アンテナ
７０２　トラヒック情報処理部
【図１】
2004007097.tif 000003
【図２】
2004007097.tif 000004
【図３】
2004007097.tif 000005
【図４】
2004007097.tif 000006
【図５】
2004007097.tif 000007
【図６】
2004007097.tif 000008
【図７】
2004007097.tif 000009
【図８】
2004007097.tif 000010